(57)【特許請求の範囲】
【請求項１】
課金区間への入出場に基づいて課金額を決定する課金方式に適用され、移動通信ネットワーク上に設けられた課金サーバと、前記移動通信ネットワークを通じて前記課金サーバに課金情報を送信する移動端末と、前記課金区間への入場地点に設けられ、前記移動端末と近距離無線によって通信する入場地点端末と、前記課金区間からの出場地点に設けられ、前記移動端末と近距離無線によって通信する出場地点端末と、を備える課金システムであって、
前記入場地点端末は、
課金対象のサービスを特定するサービスコードを移動端末に送信するサービスコード送信手段と、
前記サービスコード送信手段によって送信したサービスコードを前記移動端末によって課金処理できるという判定結果が前記移動端末から送信された場合に、出場地点に基づいて課金額を決定するための一の入場地点、複数の出場地点および当該複数の出場地点毎に対応付けられた課金額を含んだ課金額情報を送信する課金額情報送信手段と、
を有し、
前記出場地点端末は、
課金対象のサービスを特定するサービスコードと共に出場地点情報を前記移動端末に送信する出場地点情報送信手段を有し、
前記移動端末は、
当該移動端末によって課金処理を行うことができるサービスのサービスコードを格納したサービスコード格納手段と、
前記入場地点端末又は前記出場地点端末から送信されるサービスコードによって特定されるサービスが当該移動端末によって課金処理できるサービスか否かを、前記サービスコード格納手段に格納されたサービスコードに基づいて判定するサービスコード判定手段と、
当該移動端末によって課金処理できるサービスコードであるか否かの前記サービスコード判定手段による判定結果を前記入場地点端末又は前記出場地点端末に送信する判定結果送信手段と、
前記入場地点端末から送信される課金額情報を受信する課金額情報受信手段と、
前記課金額情報受信手段によって受信した課金額情報を格納する課金額情報格納手段と、
前記出場地点端末から送信される出場地点情報及びサービスコードを受信する出場地点情報受信手段と、
前記出場地点情報受信手段によって受信したサービスコードが当該移動端末によって課金処理できるサービスコードであると前記サービスコード判定手段によって判定された場合に、前記課金額情報格納手段に格納された課金額情報及び前記出場地点情報受信手段によって受信した出場地点情報に基づいて課金額を算出する課金額算出手段と、
前記課金額算出手段によって算出された課金額を含む課金情報を前記移動通信ネットワークを通じて前記課金サーバに送信する課金情報送信手段と、
を有する、
ことを特徴とする課金システム。
【請求項２】
前記入場地点端末及び前記出場地点端末は、前記判定結果送信手段によって前記移動端末から送信されるサービスコードの判定結果に基づいて開閉制御されるゲートをさらに有する、
ことを特徴とする請求項１に記載の課金システム。
【請求項３】
課金区間への入出場に基づいて課金額を決定する課金方式に適用され、移動通信ネットワーク上に設けられた課金サーバと、前記課金サーバに前記移動通信ネットワークを通じて課金情報を送信する移動端末と、前記課金区間への入場地点に設けられ、前記移動端末と近距離無線によって通信する入場地点端末と、前記課金区間からの出場地点に設けられ、前記移動端末と近距離無線によって通信する出場地点端末と、によって課金を行う課金方法であって、
課金対象のサービスを特定するサービスコードを前記入場地点端末から前記移動端末に送信するサービスコード送信ステップと、
当該移動端末が課金処理できるサービスコードをあらかじめ格納したサービスコード格納手段を参照して、前記サービスコード送信ステップにおいて送信されたサービスコードによって特定されるサービスが、当該移動端末によって課金処理できるサービスであるか否かを判定する第１のサービスコード判定ステップと、
前記第１のサービスコード判定ステップによって判定されたサービスコードの判定結果を前記移動端末から前記入場地点端末に送信する第１の判定結果送信ステップと、
前記第１の判定結果送信ステップにおいて、前記移動端末によって課金処理できるという判定結果が送信された場合に、出場地点に基づいて課金額を決定するための一の入場地点、複数の出場地点および当該複数の出場地点毎に対応付けられた課金額を含んだ課金額情報を前記入場地点端末から前記移動端末に送信する課金額情報送信ステップと、
前記課金額情報送信ステップにおいて入場地点端末から送信された課金額情報を課金額情報格納手段に格納する課金額情報格納ステップと、
課金対象のサービスを特定するサービスコードと共に出場地点情報を前記出場地点端末から前記移動端末に送信する出場地点情報送信ステップと、
当該移動端末が課金処理できるサービスコードをあらかじめ格納したサービスコード格納手段を参照して、前記出場地点情報送信ステップにおいて送信されたサービスコードによって特定されるサービスが、当該移動端末によって課金処理できるサービスコードか否かを判定する第２のサービスコード判定ステップと、
前記出場地点情報送信ステップにおいて送信されたサービスコードが当該移動端末によって処理できるサービスコードであると前記第２のサービスコード判定ステップにおいて判定された場合に、前記課金情報格納手段に格納された前記課金額情報と前記出場地点情報送信ステップにおいて送信された前記出場地点情報とに基づいて課金額を算出する課金額算出ステップと、
前記課金額算出ステップにおいて算出された課金額を含む課金情報を前記移動通信ネットワークを通じて前記課金サーバに送信する課金情報送信ステップと、
を有する、
ことを特徴とする課金方法。
【請求項４】
前記第１の判定結果送信ステップにおいて送信された判定結果に基づいて、入場地点端末に設けられたゲートを開閉する入場ゲート開閉ステップと、
前記第２のサービスコード判定ステップにおける判定の結果を前記移動端末から前記入場地点端末に送信する第２の判定結果送信ステップと、
前記第２の判定結果送信ステップにおいて送信された判定結果に基づいて、入場地点端末に設けられたゲートを開閉する出場ゲート開閉ステップと、
をさらに有することを特徴とする請求項３に記載の課金方法。
【発明の詳細な説明】
【０００１】
【発明の属する技術分野】
本発明は、移動通信ネットワークを利用した課金システム、移動端末及び課金方法に関する。
【０００２】
【従来の技術】
従来から、携帯電話などの移動端末を利用して決済を行う決済方法が知られていた。このような決済方法は、例えば、特開２００１−２９７２７８号公報に記載されている。
【０００３】
上記公報に記載された発明では、顧客は商品等を購入する場合に、顧客は自分の顧客携帯装置を操作し、業者携帯装置に対し、モノ購入清算の申し出を送信する。そして、業者携帯装置から送信されたモノ購入明細を確認し、その後にネットバンク装置にモノ購入明細を送信することによって決済を行っている。
【０００４】
【発明が解決しようとする課題】
しかしながら、上記公報に記載された発明においては、課金処理の迅速性を担保できないという面で問題があった。すなわち、商品等を購入する場合には、顧客携帯装置でモノ購入清算の申し出や明細の確認などを行わなければならず、顧客の操作が煩わしく決済に時間がかかることとなっていた。また、顧客携帯端末の周囲に業者携帯端末が複数存在する場合には、どの業者携帯端末と通信をして決済処理を行うかの選択をしなくてはならず、そのような場合にはさらに操作が煩雑になる。
【０００５】
そこで、本発明は上記課題を解決し、顧客（ユーザ）の操作を簡便にすると共に課金のための端末が複数存在する場合にも迅速に課金処理を行うことができる課金システム、移動端末及び課金方法を提供することを目的とする。
【００２２】
【課題を解決するための手段】
本発明に係る課金システムは、課金区間への入出場に基づいて課金額を決定する課金方式に適用され、移動通信ネットワーク上に設けられた課金サーバと、移動通信ネットワークを通じて課金サーバに課金情報を送信する移動端末と、課金区間への入場地点に設けられ、移動端末と近距離無線によって通信する入場地点端末と、課金区間からの出場地点に設けられ、移動端末と近距離無線によって通信する出場地点端末と、を備える課金システムであって、入場地点端末は、課金対象のサービスを特定するサービスコードを移動端末に送信するサービスコード送信手段と、サービスコード送信手段によって送信したサービスコードを移動端末によって課金処理できるという判定結果が移動端末から送信された場合に、出場地点に基づいて課金額を決定するための一の入場地点、複数の出場地点および当該複数の出場地点毎に対応付けられた課金額を含んだ課金額情報を送信する課金額情報送信手段と、を有し、出場地点端末は、課金対象のサービスを特定するサービスコードと共に出場地点情報を移動端末に送信する出場地点情報送信手段を有し、移動端末は、当該移動端末によって課金処理を行うことができるサービスのサービスコードを格納したサービスコード格納手段と、入場地点端末又は出場地点端末から送信されるサービスコードによって特定されるサービスが当該移動端末によって課金処理できるサービスか否かを、サービスコード格納手段に格納されたサービスコードに基づいて判定するサービスコード判定手段と、当該移動端末によって課金処理できるサービスコードであるか否かのサービスコード判定手段による判定結果を入場地点端末又は出場地点端末に送信する判定結果送信手段と、入場地点端末から送信される課金額情報を受信する課金額情報受信手段と、課金額情報受信手段によって受信した課金額情報を格納する課金額情報格納手段と、出場地点端末から送信される出場地点情報及びサービスコードを受信する出場地点情報受信手段と、出場地点情報受信手段によって受信したサービスコードが当該移動端末によって課金処理できるサービスコードであるとサービスコード判定手段によって判定された場合に、課金額情報格納手段に格納された課金額情報及び前記出場地点情報受信手段によって受信した出場地点情報に基づいて課金額を算出する課金額算出手段と、課金額算出手段によって算出された課金額を含む課金情報を移動通信ネットワークを通じて課金サーバに送信する課金情報送信手段と、を有する、ことを特徴とする。
【００２３】
本発明に係る課金システムでは、移動端末はサービスコード格納手段を有し、当該移動端末が課金処理を行うことができる１又は複数のサービスのサービスコードを格納している。そして、課金区間の入場地点に設けられた入場地点端末からサービスコードが送信されたときに、サービスコード格納手段を参照して、当該移動端末が課金処理できるサービスであるか否かをサービスコード判定手段によって判定し、その判定結果を入場地点端末に送信する。入場地点端末は、判定結果に基づいて、当該移動端末が課金処理できるサービスであると判定された場合には、移動端末に一の入場地点、複数の出場地点および当該複数の出場地点毎に対応付けられた課金額を含んだ課金額情報を送信する。また、課金区間の出場地点に設けられた出場地点端末からサービスコードと共に出場地点情報が送信されたときに、サービスコード格納手段を参照して、当該移動端末が課金処理できるサービスであるか否かをサービスコード判定手段によって判定し、判定の結果、当該移動端末が課金処理できるサービスであると判定された場合には、受信した出場地点情報と課金額情報格納手段に格納された課金額情報に基づいて、課金額を決定し、課金額を含む課金情報を課金サーバに送信する。このように、移動端末のユーザは、あらかじめ当該移動端末によって課金処理できるサービスのサービスコードを移動端末のサービスコード格納手段に格納させておくことによって、課金区間への入出場時の操作を簡便なものにできる。特に、電車の改札や高速道路の料金所では、混雑を防止するために迅速にゲートを通過することが要求されるので、移動端末での操作を簡便にした本発明は有効である。また、移動端末はあらかじめ格納されたサービスコードに基づいて課金処理できるサービスであるか否かを判定するので、移動端末の通信範囲内に複数の入場地点端末又は出場地点端末が存在し、それぞれの入場地点端末又は出場地点端末から入場地点情報や入場地点情報要求を受信している場合にも、入場地点情報や入場地点情報要求をユーザが操作によって選択することなく、移動端末は所定の課金区間への入出場について課金処理を行うことができる。
【００２４】
上記課金システムにおいて、入場地点端末及び出場地点端末は、判定結果送信手段によって移動端末から送信されるサービスコードの判定結果に基づいて開閉制御されるゲートをさらに有する、ことを特徴としても良い。
【００２５】
このように、入場地点端末又は出場地点端末は、移動端末から送信された判定結果に基づいて、移動端末によって課金処理できるか否かを判定することで、課金区間への入出場を規制するゲートを開閉することができる。
【００４０】
本発明に係る課金方法は、課金区間への入出場に基づいて課金額を決定する課金方式に適用され、移動通信ネットワーク上に設けられた課金サーバと、課金サーバに移動通信ネットワークを通じて課金情報を送信する移動端末と、課金区間への入場地点に設けられ、移動端末と近距離無線によって通信する入場地点端末と、課金区間からの出場地点に設けられ、移動端末と近距離無線によって通信する出場地点端末と、によって課金を行う課金方法であって、課金対象のサービスを特定するサービスコードを入場地点端末から移動端末に送信するサービスコード送信ステップと、当該移動端末が課金処理できるサービスコードをあらかじめ格納したサービスコード格納手段を参照して、サービスコード送信ステップにおいて送信されたサービスコードによって特定されるサービスが、当該移動端末によって課金処理できるサービスであるか否かを判定する第１のサービスコード判定ステップと、第１のサービスコード判定ステップによって判定されたサービスコードの判定結果を移動端末から入場地点端末に送信する第１の判定結果送信ステップと、第１の判定結果送信ステップにおいて、移動端末によって課金処理できるという判定結果が送信された場合に、出場地点に基づいて課金額を決定するための一の入場地点、複数の出場地点および当該複数の出場地点毎に対応付けられた課金額を含んだ課金額情報を入場地点端末から移動端末に送信する課金額情報送信ステップと、課金額情報送信ステップにおいて入場地点端末から送信された課金額情報を課金額情報格納手段に格納する課金額情報格納ステップと、課金対象のサービスを特定するサービスコードと共に出場地点情報を出場地点端末から移動端末に送信する出場地点情報送信ステップと、当該移動端末が課金処理できるサービスコードをあらかじめ格納したサービスコード格納手段を参照して、出場地点情報送信ステップにおいて送信されたサービスコードによって特定されるサービスが、当該移動端末によって課金処理できるサービスコードか否かを判定する第２のサービスコード判定ステップと、出場地点情報送信ステップにおいて送信されたサービスコードが当該移動端末によって処理できるサービスコードであると第２のサービスコード判定ステップにおいて判定された場合に、課金情報格納手段に格納された課金額情報と出場地点情報送信ステップにおいて送信された出場地点情報とに基づいて課金額を算出する課金額算出ステップと、課金額算出ステップにおいて算出された課金額を含む課金情報を移動通信ネットワークを通じて課金サーバに送信する課金情報送信ステップと、を有する、ことを特徴とする。
【００４１】
本発明に係る課金方法によれば、第１のサービスコード判定ステップは、課金区間の入場地点に設けられた入場地点端末からサービスコードが送信されたときに、送信されたサービスコードによって特定されるサービスが当該移動端末によって課金処理できるサービスであるか否かを、サービスコード格納手段にあらかじめ格納されたサービスコードに基づいて判定し、その判定結果を入場地点端末に送信する。当該移動端末が課金処理できるサービスであると判定された場合には、課金額情報送信ステップにおいて、入場地点端末から移動端末に一の入場地点、複数の出場地点および当該複数の出場地点毎に対応付けられた課金額を含んだ課金額情報を送信する。また、第２のサービスコード判定ステップは、課金区間の出場地点に設けられた出場地点端末からサービスコードと共に出場地点情報が送信されたときに、送信されたサービスコードによって特定されるサービスが当該移動端末によって課金処理できるサービスであるか否かを、サービスコード格納手段にあらかじめ格納されたサービスコードに基づいて判定する。判定の結果、当該移動端末が課金処理できるサービスであると判定された場合には、受信した出場地点情報と課金額情報格納手段に格納された課金額情報に基づいて、課金額を決定し、課金額を含む課金情報を課金サーバに送信する。このように、移動端末のユーザは、第１のサービスコード判定ステップ、第２のサービスコード判定ステップにおいて、あらかじめ格納された当該移動端末によって課金処理できるサービスコードに基づいて、移動端末によって課金処理できるサービスコードか否かを判定するので、課金区間への入出場時の操作を簡便にすることができる。特に、電車の改札や高速道路の料金所では、混雑を防止するために迅速にゲートを通過することが要求されるので、移動端末での操作を簡便にした本発明は有効である。また、移動端末はあらかじめ格納されたサービスコードに基づいて、移動端末によって課金処理できるサービスであるか否かを判定するので、移動端末の通信範囲内に複数の入場地点端末又は出場地点端末が存在し、それぞれの入場地点端末又は出場地点端末から入場地点情報や入場地点情報要求を受信している場合にも、ユーザの操作によって入場地点情報や入場地点情報要求を選択することなく、移動端末は所定の課金区間への入出場について課金処理を行うことができる。
【００４２】
上記課金方法は、第１の判定結果送信ステップにおいて送信された判定結果に基づいて、入場地点端末に設けられたゲートを開閉する入場ゲート開閉ステップと、第２のサービスコード判定ステップにおける判定の結果を移動端末から入場地点端末に送信する第２の判定結果送信ステップと、第２の判定結果送信ステップにおいて送信された判定結果に基づいて、入場地点端末に設けられたゲートを開閉する出場ゲート開閉ステップと、をさらに有することを特徴としても良い。
【００４３】
このように、第１の判定結果送信ステップにおいてサービスコード判定の結果を移動端末から入場地点端末に送信し、第２の判定結果送信ステップにおいてサービスコード判定の結果を移動端末から出場地点端末に送信することにより、入場地点端末又は出場地点端末では、移動端末から送信された判定結果に基づいて移動端末によって課金処理できるか否かを判定し、課金区間への入出場を規制するゲートを開閉することができる。
【００４４】
【発明の実施の形態】
以下、図面と共に本発明に係る課金システムの好適な実施形態について詳細に説明する。なお、図面の説明においては同一要素には同一符号を付し、重複する説明を省略する。
【００４５】
図１は、第１実施形態に係る課金システム１の構成を示すブロック図である。実施形態に係る課金システム１は、移動通信ネットワーク上に設けられた課金サーバ６０と、移動通信ネットワークによって課金サーバ６０と通信可能な携帯電話（移動端末）１０と、近距離無線によって携帯電話１０と通信可能な課金情報送信端末３０と、を有している。
【００４６】
携帯電話１０は、課金情報送信端末３０と通信するための近距離無線部１４と、移動通信ネットワークによって課金サーバ６０と通信するための携帯電話無線部１５と、当該携帯電話１０によって課金処理することができるサービスのサービスコードを格納したサービスコードファイル１１と、課金情報送信端末３０から近距離無線によって送信された課金情報を受信する課金情報受信手段１６と、課金情報に含まれるサービスコードが当該携帯電話１０によって課金処理できるサービスコードであるか否かを判定するサービスコード判定手段１２と、サービスコード判定手段１２による判定結果を課金情報送信端末３０に送信する判定結果送信手段１３と、課金情報送信端末３０から送信された課金情報を移動通信ネットワークを通じて課金サーバ６０に送信する課金情報送信手段１７と、を有している。
【００４７】
次に、携帯電話１０を構成するそれぞれの要素について説明する。近距離無線部１４はブルートゥースなどの近距離無線による通信を行うための無線部であって、これにより、同じプロトコルの無線部を有する周辺機器と無線通信を行うことができる。ここでは、近距離無線部１４はブルートゥースによる無線部によって構成されているが、赤外線通信を行うための無線部や、非接触型のＩＣ読取装置などによって構成することもできる。
【００４８】
課金情報受信手段１６は、課金情報送信端末３０から近距離無線によって送信された課金情報を受信する機能を有する。ここで、課金情報には、課金対象のサービスを特定するサービスコードが含まれており、好ましくは、課金額などの情報も含まれる。
【００４９】
サービスコードファイル１１は、当該携帯電話１０が課金処理できるサービスのサービスコードを格納したファイルである。図２は、サービスコードファイル１１に格納されたデータの例を示す図である。図２に示されるように、サービスコードファイル１１には、「サービスコード」「有効期限」の情報が格納されている。「サービスコード」は、当該携帯電話１０によって課金処理できるサービスを特定するためのコードであり、携帯電話１０のユーザによってあらかじめ登録されて格納される。サービスコードの登録の方法としては、携帯電話１０のキーパッドを用いてユーザが手入力することとしても良いし、また、移動通信ネットワークを通じて所定のサイトにアクセスし、所定のサイトからサービスコードをダウンロードすることとしても良い。また、近距離無線を利用して近くの端末から送信されるサービスコードを受信することとしても良い。これにより、映画館の窓口でのサービスコードの登録や、駅の定期券売り場でのサービスコードの登録を行うことができる。「有効期限」は、サービスコードによって特定されるサービスの有効期限についての情報である。これにより、期限付きのサービスにも対応することができる。本実施形態では、サービスコードファイル１１は、「サービスコード」「有効期限」の情報を格納することとしているが、サービスの内容を表すサービス名やサービスに対する課金額の情報などをさらに格納することとしても良い。
【００５０】
サービスコード判定手段１２は、課金情報受信手段１６によって受信した課金情報に含まれるサービスコードによって特定されるサービスが、当該携帯電話１０によって課金処理できるサービスであるか否かを判定する機能を有する。具体的には、課金情報に含まれるサービスコードが、サービスコードファイル１１に格納されたいずれかのサービスコードと一致するか否かを判定し、サービスコードが一致すれば当該携帯電話１０によって課金処理できると判定され、一致しなければ課金処理できないと判定される。
【００５１】
判定結果送信手段１３は、サービスコード判定手段１２によって判定された結果を課金情報送信端末３０に送信する機能を有する。ここで送信される判定結果は、サービスコードによって特定されたサービスを携帯電話１０によって課金処理できるか、課金処理できないか、のいずれかの情報である。
【００５２】
課金情報送信手段１７は、課金情報受信手段１６によって受信した課金情報を移動通信ネットワークを通じて課金サーバ６０に送信する機能を有する。課金情報送信手段１７は、課金情報に含まれるサービスコードによって特定されるサービスを当該携帯電話１０によって課金処理できると判定された場合に、課金情報を課金サーバ６０に送信する。
【００５３】
携帯電話無線部１５は、移動通信ネットワークによって通信するための無線通信部であり、通常の携帯電話が有するものと同じである。
【００５４】
次に、課金情報送信端末３０について説明する。課金情報送信端末３０は、携帯電話１０と通信するための近距離無線部３１と、課金情報を送信する課金情報送信手段３２と、携帯電話１０から送信されるサービスコードの判定結果を受信する判定結果受信手段３３と、課金対象となるサービスを提供するためのサービス提供手段３４を有している。第１実施形態における課金情報送信端末３０は、例えば、映画館の入口に設けられ、携帯電話１０に課金情報を送信すると共に、携帯電話１０のユーザを映画館へ入場させるサービスを提供する機能を有するものである。
【００５５】
近距離無線部３１は、携帯電話１０が有する近距離無線部１４と同じプロトコルを有する無線部であり、これにより携帯電話１０との通信が可能となる。
【００５６】
課金情報送信手段３２は、当該課金情報送信端末３０が設けられた課金ポイントにおいて提供されるサービスに対する課金情報を送信する機能を有する。
【００５７】
判定結果受信手段３３は、携帯電話１０によってサービスコードを判定した結果を受信する機能を有する。判定結果受信手段３３によって受信した判定結果が、携帯電話１０によって課金処理できるという結果の場合には、サービス提供手段３４にその旨を通知する。
【００５８】
サービス提供手段３４は、課金の対象となるサービスを提供する機能を有する。例えば、映画の鑑賞というサービスを提供する場合には、映画館の入口に設けられたゲートを開いて、携帯電話１０のユーザを館内へ入場させる。
【００５９】
次に、課金サーバ６０について説明する。移動通信ネットワーク上に設けられた課金サーバ６０は、課金情報データベース（以下、「課金情報ＤＢ」という）６１を有し、携帯電話１０から送信された課金情報を管理している。図３は、課金情報ＤＢ６１に格納されたデータの例を示す図である。図３に示されるように、課金情報ＤＢ６１には、「ユーザＩＤ」「利用年月日」「サービスコード」「課金額」の各情報が格納されている。「ユーザＩＤ」は課金すべきユーザを特定するための情報である。ユーザＩＤは、各携帯電話１０から送信される課金情報に含まれていても良いし、携帯電話１０の発信電話番号に基づいて課金サーバ６０が求めることとしても良い。「利用年月日」は、課金対象となるサービスを利用した年月日の情報である。「サービスコード」は、課金対象となるサービスを特定するコードである。サービスコードの情報は、各携帯電話１０から送信される課金情報に含まれている。「課金額」は、課金すべき金額の情報であり、各携帯電話１０から送信される課金情報に含まれていても良いし、各携帯電話１０から送信された課金情報に含まれるサービスコードに基づいて課金サーバ６０が求めることとしても良い。
【００６０】
次に、第１実施形態に係る課金システム１の動作について説明し、併せて第１実施形態に係る課金方法について説明する。図４は、課金システム１の動作を示すフローチャートである。
【００６１】
まず、課金情報送信端末３０は、携帯電話１０に対して課金情報を送信する（Ｓ１０）。課金情報送信端末３０は、近距離無線を用いて定期的に課金情報を送信する。携帯電話１０は、課金情報送信端末３０の無線通信の領域内に入ると、課金情報送信端末３０から送信される課金情報を課金情報受信手段１６によって受信する（Ｓ１２）。
【００６２】
次に、携帯電話１０は、受信した課金情報に含まれるサービスコードによって特定されるサービスが、当該携帯電話１０によって課金処理できるサービスであるか否か判定する（Ｓ１４）。具体的には、受信したサービスコードがサービスコードファイル１１に格納されたいずれかのサービスコードと一致するか否かをサービスコード判定手段１２によって判定し、サービスコードが一致する場合には携帯電話１０によって課金処理できると判定し、サービスコードが一致しない場合には課金処理できないと判定する。サービスコード判定手段１２によって課金処理できると判定された場合には、携帯電話１０は、課金情報送信手段１７によって課金情報を課金サーバ６０に送信する（Ｓ１６）。そして、課金サーバ６０は、携帯電話１０から送信された課金情報を受信し（Ｓ１８）、受信した課金情報に基づいて課金情報ＤＢ６１を更新する（Ｓ２０）。サービスコード判定手段１２によって課金処理できないと判定された場合には、課金情報を送信しないで、次の判定結果送信ステップＳ２２に遷移する。
【００６３】
次に、携帯電話１０は、サービスコード判定手段１２による判定結果を判定結果送信手段１３によって課金情報送信端末３０に送信する（Ｓ２２）。課金情報送信端末３０は、携帯電話１０から送信された判定結果の情報を判定結果受信部３３によって受信する（Ｓ２４）と、受信した判定結果に基づいて、携帯電話１０によって課金処理できるか、課金処理できないかを判定する（Ｓ２６）。携帯電話１０によって課金処理できる場合には、課金情報送信端末３０は、サービス提供手段３４によって課金対象となるサービスを提供する（Ｓ２８）。例えば、映画の鑑賞というサービスの場合には、映画館の入場ゲートを開いてユーザを館内に入れる。
【００６４】
第１実施形態に係る課金システム１では、携帯電話１０がサービスコード判定手段１２を有し、課金情報送信端末３０から送信された課金情報に含まれるサービスコードによって特定されるサービスが当該携帯電話１０によって課金処理できるサービスであるか否か判定する。これにより、課金情報を送信されるたびに、課金処理を行ってよいサービスか否か、ユーザが判定して携帯電話１０を操作しなくても良く、課金処理時の操作を容易にすることができる。また、サービスコード判定手段１２によってサービスコードを判定することにより、携帯電話１０の無線通信可能な領域内に複数の課金情報送信端末３０が存在し、それぞれから課金情報が送信された場合であっても、処理すべき課金情報を選択することができる。
【００６５】
また、第１実施形態に係る課金方法では、課金情報送信ステップにおいて送信されたサービスコードによって特定されるサービスが、携帯電話１０によって処理できるサービスか否か、サービスコード判定ステップにおいて判定しているので、上記課金システム１と同様に、ユーザの操作を容易にできると共に、携帯電話１０の周辺に複数の課金情報送信端末３０が存在する場合にも対応することができる。
【００６６】
次に、本発明の第２実施形態に係る課金システム２について説明する。第２実施形態に係る課金システム２は、電車の改札や高速道路の料金所のように、課金区間への入出場に基づいて課金額が決まる方式に対応した課金システムである。図５は、第２実施形態に係る課金システム２の構成を示すブロック図である。
【００６７】
第２実施形態に係る課金システム２は、移動通信ネットワーク上に設けられた課金サーバ６０と、移動通信ネットワークによって課金サーバ６０と通信可能な携帯電話（移動端末）２０と、近距離無線によって携帯電話２０と通信可能な入場地点端末４０及び出場地点端末５０と、を有している。入場地点端末４０は課金区間への入場地点に設けられ、出場地点端末５０は課金区間からの出場地点に設けられるが、電車の改札など一つの場所で課金区間への入出場が可能な地点には、入場地点端末４０と出場地点端末５０の両方の機能を兼ね備えた端末を設けることとしても良い。
【００６８】
携帯電話２０は、入場地点端末４０及び出場地点端末５０と通信するための近距離無線部１４と、移動通信ネットワークによって通信するための携帯電話無線部１５と、当該携帯電話２０によって課金処理することができるサービスのサービスコードを格納したサービスコードファイル１１と、入場地点端末４０又は出場地点端末５０から送信されるサービスコードが当該携帯電話２０によって課金処理できるサービスコードであるか否かを判定するサービスコード判定手段１２と、サービスコード判定手段１２による判定結果を入場地点端末４０又は出場地点端末５０に送信する判定結果送信手段１３と、携帯電話２０のユーザが課金区間へ入場した地点に関する入場地点情報を格納する入場地点情報ファイル２１と、入場地点端末４０から送信される入場地点情報を受信する入場地点情報受信手段２２と、出場地点情報端末から送信される入場地点情報要求を受信する入場地点情報要求受信手段２３と、出場地点端末５０に入場地点情報を送信する入場地点情報送信手段２４と、出場地点端末５０から送信される課金情報を受信する課金情報受信手段１６と、出場地点端末５０から送信された課金情報を課金サーバ６０に送信する課金情報送信手段１７と、を有している。
【００６９】
次に、携帯電話２０を構成するそれぞれの要素について説明する。近距離無線部１４及び携帯電話無線部１５は、第１実施形態における携帯電話１０の近距離無線部１４及び携帯電話無線部１５と同じである。
【００７０】
また、サービスコードファイル１１は、第１実施形態における携帯電話１０のサービスコードファイル１１と同じデータを格納しており、サービスコード判定手段１２は、第１実施形態における携帯電話１０のサービスコード判定手段１２と同様にして、入場地点端末４０又は出場地点端末５０から送信されるサービスコードによって特定されるサービスが、当該携帯電話２０によって課金処理できるサービスか否かを判定する機能を有する。
【００７１】
判定結果送信手段１３は、サービスコード判定手段１２によって判定された結果を、そのサービスコードを送信してきた入場地点端末４０又は出場地点端末５０に送信する機能を有する。ここで送信される判定結果は、サービスコードによって特定されるサービスを携帯電話２０によって課金処理できるか、課金処理できないかのいずれかの情報である。
【００７２】
入場地点情報ファイル２１は、携帯電話２０のユーザが課金区間に入場した地点に関する情報を格納するファイルである。図６は、入場地点情報ファイル２１に格納されたデータの例を示す図である。図６に示されるように、入場地点情報ファイル２１には、「サービスコード」「入場地点」の情報が格納されている。「サービスコード」は課金対象となるサービスを特定するためのコードであり、これにより、どのサービスに基づいて課金区間に入場したかを知ることができる。サービスコードによって、例えば、路線や運転会社などを特定することができる。「入場地点」は、請求区間に入場した地点に関する情報であり、図６に示す例では、Ａ駅というように駅の情報が格納されている。なお、図６に示す例では、一の入場地点情報のみが格納されているが、入場地点情報ファイル２１には複数の情報を格納することも可能であり、入場地点情報が複数格納されている場合には、入場地点情報に関連付けられたサービスコードによってそれぞれの入場地点情報を識別することができる。
【００７３】
入場地点情報受信手段２２は、入場地点端末４０から送信される入場地点情報及びサービスコードを受信する機能を有する。また、入場地点情報受信手段２２は、受信したサービスコードをサービスコード判定手段１２に入力して、当該携帯電話２０によって課金処理できるか否かを判定させ、課金処理できると判定された場合には、受信した入場地点情報を入場地点情報ファイル２１に格納する機能を有する。
【００７４】
入場地点情報要求受信手段２３は、出場地点端末５０から送信される入場地点情報要求及びサービスコードを受信する機能を有する。「入場地点情報要求」とは、当該携帯電話２０のユーザが課金区間に入場した地点についての情報を要求するものである。また、入場地点情報要求受信手段２３は、受信したサービスコードをサービスコード判定手段１２に入力して、当該携帯電話２０によって課金処理できるか否かを判定させ、課金処理できると判定された場合には、入場地点情報要求を受信したことを入場地点情報送信手段２４に通知する機能を有する。
【００７５】
入場地点情報送信手段２４は、入場地点情報ファイル２１から入場地点情報を読み出し、出場地点端末５０に送信する機能を有する。入場地点情報ファイル２１に複数の入場地点情報が格納されている場合には、入場地点情報ファイル２１から読み出される入場地点情報は、入場地点情報要求受信手段２３によって受信したサービスコードに関連付けて格納された入場地点情報である。
【００７６】
課金情報受信手段１６は、出場地点端末５０から送信された課金情報を受信する機能を有する。
【００７７】
課金情報送信手段１７は、課金情報受信手段１６によって受信した課金情報を移動通信ネットワークを通じて、課金サーバ６０に送信する機能を有する。
【００７８】
次に、入場地点端末４０について説明する。入場地点端末４０は、携帯電話２０と通信するための近距離無線部４１と、入場地点情報を送信する入場地点情報送信手段４４と、課金区間への入場を規制するゲート４３と、サービスコードの判定結果に基づいてゲート４３の開閉を制御するゲート制御部４２と、を有している。
【００７９】
近距離無線部４１は、携帯電話２０が有する近距離無線部１４と同じプロトコルを有する無線部であり、これにより携帯電話２０との通信が可能となる。
【００８０】
入場地点情報送信手段４４は、入場地点端末４０が設けられた課金ポイントの地点に関する入場地点情報を送信する機能を有する。入場地点情報により、携帯電話２０のユーザが課金区間へ入場した地点を把握することができる。
【００８１】
ゲート４３は、課金区間への入場を規制する機能を有し、ゲート制御部４２は、携帯電話２０によって課金処理できるというサービスコードの判定結果を受信した場合に、ゲート４３を開くように制御する機能を有する。
【００８２】
次に、出場地点端末５０について説明する。出場地点端末５０は、携帯電話２０と通信するための近距離無線部５１と、入場地点情報要求を送信する入場地点情報要求送信手段５４と、入場地点情報に応じた課金額情報が格納された課金額テーブル５５と、入場地点情報に基づいて課金額を算出する課金額算出手段５６と、課金額算出手段５６によって算出された課金額を含む課金情報を携帯電話２０に送信する課金情報送信手段５７と、課金区間からの出場を規制するゲート４３と、サービスコードの判定結果に基づいてゲート５３の開閉を制御するゲート制御部５２と、を有している。
【００８３】
近距離無線部５１は、携帯電話２０が有する近距離無線部１４と同じプロトコルを有する無線部であり、これにより携帯電話２０との通信が可能となる。
【００８４】
入場地点情報要求送信手段５４は、携帯電話２０に対し、課金区間に入場した地点の情報を要求する要求信号を送信する機能を有する。
【００８５】
課金額テーブル５５は、課金区間への入場地点に基づいて課金額を決定するために用いられるテーブルである。図７は課金額テーブル５５に格納されたデータの例を示す図である。図７に示されるように、課金額テーブル５５には、入場地点に応じた課金額が定義されている。例えば、図７に示す例では、Ａ駅から入場した場合には、課金額は３００円であることを示す。それぞれの出場地点に設けられた出場地点端末５０がこのような課金額テーブル５５を有しているので、課金区間への入出場に基づいて課金額を算出することができる。
【００８６】
課金額算出手段５６は、携帯電話２０からされた入場地点情報に基づいて課金額テーブル５５を参照し、課金額を算出する機能を有する。
【００８７】
課金情報送信手段５７は、課金額算出手段５６によって算出された課金額の情報を含む課金情報を携帯電話２０に送信する機能を有する。ここで送信される課金情報には、課金額の情報のほかに、入場地点情報、出場地点情報が含まれることが好ましい。
【００８８】
ゲート５３は、課金区間からの出場を規制する機能を有し、ゲート制御部５２は、携帯電話２０によって課金処理できるというサービスコードの判定結果を受信した場合に、ゲート５３を開くように制御する機能を有する。
【００８９】
次に、課金サーバ６０について説明する。移動通信ネットワーク上に設けられた課金サーバ６０は、課金情報データベース（以下、「課金情報ＤＢ」という）６２を有し、携帯電話２０から送信された課金情報を管理している。図８は、課金情報ＤＢ６２に格納されたデータの例を示す図である。図８に示されるように、課金情報ＤＢ６２には、「ユーザＩＤ」「利用年月日」「サービスコード」「入場地点」「出場地点」「課金額」の各情報が格納されている。「ユーザＩＤ」「利用年月日」「サービスコード」「課金額」の各情報は、第１実施形態において課金情報ＤＢ６１に格納されている「ユーザＩＤ」「利用年月日」「サービスコード」「課金額」のそれぞれの情報と同じである。「入場地点」は課金区間への入場地点を示す情報であり、「出場地点」は課金区間への出場地点を示す情報であり、これらの情報により、課金額が何に基づいて算出されているかが明らかになる。
【００９０】
次に、第２実施形態に係る課金システム２の動作について説明し、併せて、第２実施形態に係る課金方法について説明する。図９は、第２実施形態に係る課金システム２の動作を示すフローチャートである。
【００９１】
まず、入場地点端末４０は携帯電話２０に対し、サービスコードと共に入場地点情報を送信する（Ｓ３０）。ここでは、入場地点端末４０はＡ駅に設けられているものとすると、入場地点端末４０は入場地点情報として「Ａ駅」という情報を送信する。携帯電話２０のユーザが課金区間の入場地点（Ａ駅改札）に近づくと、携帯電話２０は入場地点端末４０から送信されたサービスコード及び入場地点情報を受信し（Ｓ３２）、受信したサービスコードによって特定されたサービスが当該携帯電話２０によって課金処理できるサービスか否かを判定する（Ｓ３４）。具体的には、受信したサービスコードがサービスコードファイル１１に格納されたいずれかのサービスコードと一致するか否かをサービスコード判定手段１２によって判定し、サービスコードが一致する場合には携帯電話２０によって課金処理できると判定し、サービスコードが一致しない場合には課金処理できないと判定する。サービスコード判定手段１２によって課金処理できると判定された場合には、入場地点情報受信手段２２は、受信した入場地点情報を入場地点情報ファイル２１に格納する（Ｓ３６）。サービスコード判定手段１２によって課金処理できないと判定された場合には、入場地点情報ファイル２１に入場地点情報を格納しないで、次の判定結果送信ステップＳ３８に遷移する。
【００９２】
次に、携帯電話２０は、サービスコード判定手段１２による判定結果を判定結果送信手段１３によって入場地点端末４０に送信する（Ｓ３８）。入場地点端末４０は、携帯電話２０から送信された判定結果の情報を受信する（Ｓ４０）と、受信した判定結果に基づいて、携帯電話２０によって課金処理できるか、課金処理できないかを判定する。課金処理できる場合には、入場地点端末４０は課金対象となるサービスを提供する（Ｓ４２）。すなわち、ゲート制御部４２によってゲート４３を開ける制御をし、ユーザが改札を通れるようにする。なお、図９においては、課金処理できるか、課金処理できないかの判定ステップは省略して描いているが、判定のフローは、図４におけるステップＳ２６と同様である。ここまでが、課金区間の入場地点におけるフローである。
【００９３】
続いて、課金区間の出場地点におけるフローについて説明する。出場地点端末５０は携帯電話２０に対し、サービスコードと共に入場地点情報要求を送信する（Ｓ４４）。携帯電話２０のユーザが課金区間の出場地点に近づくと、携帯電話２０は出場地点端末５０から送信されたサービスコード及び入場地点情報要求を受信する（Ｓ４６）。そして、受信したサービスコードによって特定されるサービスが当該携帯電話２０によって課金処理できるサービスであるか否かを判定する（Ｓ４８）。具体的には、受信したサービスコードがサービスコードファイル１１に格納されたいずれかのサービスコードと一致するか否かをサービスコード判定手段１２によって判定し、サービスコードが一致する場合には携帯電話２０によって課金処理できると判定し、サービスコードが一致しない場合には課金処理できないと判定する。サービスコード判定手段１２によって課金処理できると判定された場合には、入場地点情報要求受信手段２３は、入場地点情報要求を受信したことを入場地点情報送信手段２４に通知する。入場地点情報要求を受信したことを通知された入場地点情報送信手段２４は、入場地点情報ファイル２１から入場地点情報を読み出して、入場地点情報を出場地点端末５０に送信する（Ｓ５０）。この際に、入場地点情報ファイル２１に入場地点情報が複数格納されている場合には、入場地点情報要求と共に送信されたサービスコードに対応する入場地点情報を読み出して送信する。出場地点端末５０は、携帯電話２０から送信された入場地点情報を受信する（Ｓ５２）。なお、携帯電話２０によって課金処理できないとサービスコード判定手段１２によって判定された場合には、入場地点情報を送信しないで次の判定結果送信ステップＳ５４に遷移する。
【００９４】
続いて、携帯電話２０は、サービスコード判定手段１２による判定結果を判定結果送信手段１３によって出場地点端末５０に送信する（Ｓ５４）。出場地点端末５０は、携帯電話２０から送信された判定結果の情報を受信する（Ｓ５６）と、受信した判定結果に基づいて、携帯電話２０によって課金処理できるか、課金処理できないかを判定する。課金処理できる場合には、受信した入場地点情報に基づいて、課金額テーブル５５を参照して課金額を算出する（Ｓ５８）。ここでは、入場地点情報は「Ａ駅」である（図６参照）ので、図７に示す課金額テーブル５５に基づいて、課金額は３００円であると算出される。なお、図９においては、課金処理できるか、課金処理できないかの判定ステップは省略して描いているが、判定のフローは図４におけるステップＳ２６と同様である。そして、課金情報送信手段５７は、課金額算出手段５６によって算出された課金額を含む課金情報を携帯電話２０に送信する（Ｓ６０）。続いて、出場地点端末５０は、サービスを提供する（Ｓ６２）。すなわち、出場地点端末５０は、ゲート制御部５２によってゲート５３を開ける制御し、ユーザが改札を通って出られるようにする。なお、判定結果受信ステップ（Ｓ５６）において受信した判定結果に基づいて、携帯電話２０によって課金処理できないと判定された場合には、課金額の算出（Ｓ５８）からサービス提供（Ｓ６２）までのステップに移行することなく、従って、課金情報受信（Ｓ６４）から課金ＤＢ更新（Ｓ７０）までのステップも実行されないで課金システムの動作は完了する。
【００９５】
次に、携帯電話２０は、出場地点端末５０から送信された課金情報を課金情報受信手段１６によって受信し（Ｓ６４）、受信した課金情報を課金情報送信手段１７によって課金サーバ６０に送信する（Ｓ６６）。そして、課金サーバ６０は、携帯電話２０から送信された課金情報を受信し（Ｓ６８）、受信した課金情報に基づいて課金情報ＤＢ６２を更新する（Ｓ７０）。
【００９６】
第２実施形態に係る課金システム２では、携帯電話２０がサービスコード判定手段１２を有し、入場地点端末４０又は出場地点端末５０から送信されたサービスコードによって特定されるサービスが当該携帯電話２０によって課金処理できるサービスであるか否か判定する。これにより、サービスコードを送信されるたびに課金処理を行ってよいサービスか否かをユーザが判定して携帯電話２０を操作しなくても良く、課金区間への入出場の際の操作を容易にすることができる。また、サービスコード判定手段１２によってサービスコードを判定することにより、携帯電話２０の無線通信の範囲内に複数の入場地点端末４０又は出場地点端末５０があって、それぞれからサービスコードが送信された場合であっても、処理すべき入場地点情報又入場地点情報要求を選択することができる。
【００９７】
また、第２実施形態に係る課金システム２では、入場地点端末４０は入場地点情報を送信し、出場地点端末５０は携帯電話２０から送信された入場地点情報に基づいて課金額を算出することにより、請求区間への入出場に基づいて課金することができる。
【００９８】
第２実施形態に係る課金方法では、入場地点端末又は出場地点端末から送信されたサービスコードによって特定されるサービスが、携帯電話２０によって処理できるサービスか否かをサービスコード判定ステップにおいて判定しているので、上記課金システム２と同様に、ユーザの操作を容易にできると共に、携帯電話２０の周辺に複数の入場地点端末４０又は出場地点端末５０にも対応することができる。
【００９９】
次に、本発明の第３実施形態に係る課金システムについて説明する。第３実施形態に係る課金システム３は、第２実施形態に係る課金システム２と同様に、課金区間への入出場に基づいて課金額が決まる方式に対応した課金システムである。図１０は、第３実施形態に係る課金システム３の構成を示すブロック図である。
【０１００】
第３実施形態に係る課金システム３は、移動通信ネットワーク上に設けられた課金サーバ６０と、移動通信ネットワークによって課金サーバ６０と通信可能な携帯電話（移動端末）７０と、近距離無線によって携帯電話７０と通信可能な入場地点端末８０及び出場地点端末９０と、を有している。入場地点端末８０は課金区間への入場地点に設けられ、出場地点端末９０は課金区間からの出場地点に設けられるが、電車の改札など一つの場所で課金区間への入出場が可能な地点には、入場地点端末８０と出場地点端末９０の両方の機能を兼ね備えた端末を設けることとしても良い。
【０１０１】
携帯電話７０は、入場地点端末８０及び出場地点端末９０と通信するための近距離無線部１４と、移動通信ネットワークによって通信するための携帯電話無線部１５と、当該携帯電話７０によって課金処理することができるサービスのサービスコードを格納したサービスコードファイル１１と、入場地点端末８０又は出場地点端末９０から送信されるサービスコードが当該携帯電話７０によって課金処理できるサービスコードであるか否かを判定するサービスコード判定手段１２と、サービスコード判定手段１２による判定結果を入場地点端末８０又は出場地点端末９０に送信する判定結果送信手段１３と、入場地点端末８０から送信されるサービスコードを受信するサービスコード受信手段７２と、入場地点端末８０から送信される課金額情報を受信する課金額情報受信手段７３と、課金額情報受信手段７３によって受信した課金額情報を格納する課金額テーブル７１と、出場地点端末９０から送信される出場地点情報を受信する出場地点情報受信手段７４と、出場地点情報受信手段７４によって受信した出場地点情報及び課金額テーブル７１に格納された課金額情報に基づいて課金額を算出する課金額算出手段７５と、課金額算出手段７５によって算出された課金額を含む課金額情報を課金サーバ６０に送信する課金情報送信手段７６と、を有している。
【０１０２】
次に、携帯電話７０を構成するそれぞれの要素について説明する。近距離無線部１４及び携帯電話無線部１５は、第１実施形態における携帯電話１０の近距離無線部１４及び携帯電話無線部１５と同じである。
【０１０３】
また、サービスコードファイル１１、サービスコード判定手段１２及び判定結果送信手段１３は、第２実施形態における携帯電話２０のサービスコードファイル１１、サービスコード判定手段１２及び判定結果送信手段１３と同じである。
【０１０４】
サービスコード受信手段７２は、入場地点端末８０から送信されるサービスコードを受信し、受信したサービスコードをサービスコード判定手段１２に入力する機能を有する。
【０１０５】
課金額テーブル７１は、入場地点端末８０から送信された課金額情報を格納する機能を有する。図１１は、課金額テーブル７１に格納されたデータの例を示す図である。課金額テーブル７１には、「入場地点」「出場地点」及び「課金額」の各情報が格納されている。「入場地点」は、携帯電話７０のユーザが課金区間に入場した地点についての情報である。「出場地点」及び「課金額」の情報は、出場地点と課金額との関係を対応づけるデータである。例えば、Ｂ駅で課金区間から出場した場合には、課金額は１００円であることがわかる。
【０１０６】
課金額情報受信手段７３は、入場地点端末８０から送信される課金額情報を受信し、受信した課金額情報を課金額テーブル７１に格納させる機能を有する。
【０１０７】
出場地点情報受信手段７４は、出場地点端末９０から送信される出場地点情報及びサービスコードを受信する機能を有する。また、出場地点情報受信手段７４は、受信したサービスコードをサービスコード判定手段１２に入力して、当該携帯電話７０によって課金処理できるか否かを判定させ、課金処理できると判定された場合には、受信した出場地点情報を課金額算出手段７５に通知する機能を有する。
【０１０８】
課金額算出手段７５は、出場地点情報受信手段７４から通知された出場地点情報と課金額テーブル７１に格納された課金額情報とに基づいて課金額を算出する機能を有する。
【０１０９】
課金情報送信手段７６は、課金額算出手段７５によって算出された課金額の情報を含む課金情報を、移動通信ネットワークを通じて課金サーバ６０に送信する機能を有する。
【０１１０】
次に、入場地点端末８０について説明する。入場地点端末８０は、携帯電話７０と通信するための近距離無線部８１と、サービスコードを送信するサービスコード送信手段８４と、出場地点に基づいて課金額を決定するための課金額情報を格納した課金額テーブル８５と、課金額情報を送信する課金額情報送信手段８６と、課金区間への入場を規制するゲート８３と、サービスコードの判定結果に基づいてゲート８３の開閉を制御するゲート制御部８２と、を有している。
【０１１１】
近距離無線部８１は、携帯電話７０が有する近距離無線部１４と同じプロトコルを有する無線部であり、これにより携帯電話７０との通信が可能となる。
【０１１２】
サービスコード送信手段８４は、入場地点端末８０が提供するサービスを特定するサービスコードを送信する機能を有する。
【０１１３】
課金額テーブル８５は、出場地点に基づいて課金額を決定するための課金額情報を格納したテーブルであり、課金額が出場地点情報に対応づけられて格納されている。課金額テーブル８５には、図１１に示す課金額情報と同じ情報が格納されている。
【０１１４】
課金額情報送信手段８６は、近距離無線によって課金額情報を携帯電話７０に送信する機能を有する。
【０１１５】
ゲート８３は、課金区間への入場を規制する機能を有し、ゲート制御部８２は、携帯電話７０によって課金処理できるというサービスコード判定結果を受信した場合に、ゲート８３を開くように制御する機能を有する。
【０１１６】
次に、出場地点端末９０について説明する。出場地点端末９０は、携帯電話７０と通信するための近距離無線部９１と、出場地点情報を送信する出場地点情報送信手段９４と、課金区間からの出場を規制するゲート９３と、サービスコードの判定結果に基づいてゲート９３の開閉を制御するゲート制御部９２と、を有している。
【０１１７】
近距離無線部９１は、携帯電話７０が有する近距離無線部１４と同じプロトコルを有する無線部であり、これにより携帯電話７０との通信が可能となる。
【０１１８】
出場地点情報送信手段９４は、出場地点端末９０が設けられた課金ポイントの地点に関する出場地点情報を送信する機能を有する。出場地点情報により、携帯電話７０のユーザが課金区間から出場する地点を把握することができる。
【０１１９】
ゲート９３は、課金区間からの出場を規制する機能を有し、ゲート制御部９２は、携帯電話７０によって課金処理できるというサービスコード判定結果を受信した場合に、ゲート９３を開くように制御する機能を有する。
【０１２０】
次に、課金サーバ６０について説明する。移動通信ネットワーク上に設けられた課金サーバ６０は、課金情報データベース（以下、「課金情報ＤＢ」という）６２を有し、携帯電話７０から送信された課金情報を管理している。課金情報ＤＢに格納されたデータは、第２実施形態における課金サーバ６０に格納されたデータと同じである。
【０１２１】
次に、第３実施形態に係る課金システム３の動作について説明し、併せて、第３実施形態に係る課金方法について説明する。図１２は、第３実施形態に係る課金システム３の動作を示すフローチャートである。
【０１２２】
まず、入場地点端末８０は携帯電話７０に対し、サービスコードを送信する（Ｓ８０）。ここでは、入場地点端末８０はＡ駅に設けられているものとすると、携帯電話７０のユーザが課金区間の入場地点（Ａ駅改札）に近づくと、携帯電話７０は入場地点端末８０から送信されたサービスコードを受信し（Ｓ８２）、受信したサービスコードによって特定されたサービスが当該携帯電話７０によって課金処理できるサービスか否かを判定する（Ｓ８４）。具体的には、受信したサービスコードがサービスコードファイル１１に格納されたいずれかのサービスコードと一致するか否かをサービスコード判定手段１２によって判定し、サービスコードが一致する場合には携帯電話７０によって課金処理できると判定し、サービスコードが一致しない場合には課金処理できないと判定する。続いて、携帯電話７０は、判定結果送信手段１３によってサービスコードの判定結果を入場地点端末８０に送信し（Ｓ８６）、入場地点端末８０は携帯電話７０から送信された判定結果を受信する（Ｓ８８）。
【０１２３】
次に、入場地点端末８０は、受信した判定結果に基づいて、携帯電話７０によって課金処理できるか、課金処理できないかを判定する（Ｓ９０）。課金処理できる場合には、入場地点端末８０は課金額テーブル８５から課金額情報を読み出して携帯電話７０に送信し（Ｓ９２）、課金対象となるサービスを提供する（Ｓ９４）。ここでは、ゲート制御部８２によってゲート８３を開ける制御をし、ユーザが改札を通れるようにする。課金処理できない場合には、入場地点端末８０は、課金額情報送信（Ｓ９２）及びサービス提供（Ｓ９４）のステップに移行しないで、入場地点端末８０の動作を終了させる。
【０１２４】
次に、携帯電話７０は入場地点端末８０から送信された課金額情報を受信し、受信した課金額情報を課金額テーブル７１に格納する（Ｓ９６）。ここまでが、課金区間の入場地点におけるフローである。
【０１２５】
続いて、課金区間の出場地点におけるフローについて説明する。出場地点端末９０は携帯電話７０に対し、サービスコードと共に出場地点情報を送信する（Ｓ９８）。携帯電話７０のユーザが課金区間の出場地点に近づくと、携帯電話７０は出場地点端末９０から送信されたサービスコード及び出場地点情報を受信する（Ｓ１００）。本実施形態では、出場地点端末９０が定期的に出場地点情報を送信し、携帯電話７０が出場地点に近づいたときに出場地点情報を受信するが、出場地点端末９０に対して出場地点情報を要求する出場地点情報要求送信手段を携帯電話７０に設け、出場地点情報要求送信手段によって送信された要求に応じて、出場地点端末９０は出場地点情報を送信することとしてもよい。
【０１２６】
次に、携帯電話７０は、受信したサービスコードによって特定されるサービスが当該携帯電話７０によって課金処理できるサービスであるか否かを判定する（Ｓ１０２）。具体的には、受信したサービスコードがサービスコードファイル１１に格納されたいずれかのサービスコードと一致するか否かをサービスコード判定手段１２によって判定し、サービスコードが一致する場合には携帯電話７０によって課金処理できると判定し、サービスコードが一致しない場合には課金処理できないと判定する。サービスコード判定手段１２によって課金処理できると判定された場合には、出場地点情報受信手段７４は、受信した出場地点情報を課金額算出手段７５に通知する。出場地点情報を通知された課金額算出手段７５は、課金額テーブル７１に格納された課金額情報を読み出し（Ｓ１０４）、課金額情報と出場地点情報とに基づいて課金額を算出する（Ｓ１０６）。続いて、携帯電話７０は、算出された課金額を含む課金情報を課金情報送信手段７６によって課金サーバ６０に送信する（Ｓ１０８）。課金サーバ６０は、携帯電話７０から送信された課金情報を受信する（Ｓ１１０）と、課金情報に基づいて課金情報ＤＢ６２を更新する（Ｓ１１２）。なお、携帯電話７０によって課金処理できないとサービスコード判定手段１２によって判定された場合には、課金額情報の読み出し（Ｓ１０４）、課金額算出（Ｓ１０６）及び課金情報送信（Ｓ１０８）のステップに移行しないで、次の判定結果送信ステップＳ１１４に遷移する。
【０１２７】
携帯電話７０は、サービスコード判定手段１２による判定結果を判定結果送信手段１３によって出場地点端末９０に送信する（Ｓ１１４）。出場地点端末９０は、携帯電話７０から送信された判定結果の情報を受信する（Ｓ１１６）と、受信した判定結果に基づいて、携帯電話７０によって課金処理できるか、課金処理できないかを判定する。課金処理できる場合には、出場地点端末９０はサービスを提供する（Ｓ１１８）。すなわち、出場地点端末９０は、ゲート制御部９２によってゲート９３を開ける制御し、ユーザが改札を通って出られるようにする。なお、判定結果受信ステップ（Ｓ１１６）において受信した判定結果に基づいて、携帯電話７０によって課金処理できないと判定された場合には、サービス提供（Ｓ１１８）までのステップに移行することなく、出場地点端末９０の動作は完了する。なお、図１２においては、判定結果受信ステップＳ１１６で受信した判定結果に基づいて、課金処理できるか、課金処理できないかを判定するステップは省略して描いているが、判定のフローはステップＳ９０と同様である。
【０１２８】
第３実施形態に係る課金システム３では、携帯電話７０がサービスコード判定手段１２を有し、入場地点端末８０又は出場地点端末９０から送信されたサービスコードによって特定されるサービスが当該携帯電話７０によって課金処理できるサービスであるか否か判定する。これにより、サービスコードを送信されるたびに課金処理を行ってよいサービスか否かをユーザが判定して携帯電話７０を操作しなくても良く、課金区間への入出場の際の操作を容易にすることができる。また、サービスコード判定手段１２によってサービスコードを判定することにより、携帯電話７０の無線通信の範囲内に複数の入場地点端末８０又は出場地点端末９０があって、それぞれからサービスコードが送信された場合であっても、処理すべき入場地点情報又入場地点情報要求を選択することができる。
【０１２９】
また、第３実施形態に係る課金システム３では、入場地点端末８０は課金額情報を送信し、出場地点端末９０は出場地点情報を送信する。そして、携帯電話７０が、課金額情報と出場地点情報とに基づいて課金額を算出することにより、請求区間への入出場に基づいて課金することができる。
【０１３０】
また、携帯電話７０が課金額算出手段７５を有しているので、出場地点端末９０から送信される出場地点情報に基づいて速やかに課金額を算出することができる。
【０１３１】
第３実施形態に係る課金方法では、入場地点端末８０又は出場地点端末９０から送信されたサービスコードによって特定されるサービスが、携帯電話７０によって処理できるサービスか否かをサービスコード判定ステップにおいて判定しているので、上記課金システム３と同様に、ユーザの操作を容易にできると共に、携帯電話７０の周辺に複数の入場地点端末８０又は出場地点端末９０にも対応することができる。
【０１３２】
以上、本発明の課金システムについて、実施形態を用いて詳細に説明したが、本発明に係る課金システムは、上記実施形態に限定されるものではない。
【０１３３】
上記第１実施形態においては、課金情報送信端末３０は、無線通信の範囲内に定期的に課金情報を送信し、当該無線通信の範囲内に入った携帯電話１０が課金情報を受信する構成となっているが、課金情報の送信のフローはこれに限定されない。例えば、図１３（ａ）に示すように、携帯電話１０が課金情報要求を定期的に送信し（Ｓ１３４）、課金情報送信端末３０が課金情報要求を受信した場合（Ｓ１３６）に、携帯電話１０に課金情報を送信する（Ｓ１３８）こととしても良い。また、図１３（ｂ）に示すように、課金情報送信端末３０が、その無線通信範囲内に課金地点があることを通知する課金地点情報を送信し（Ｓ１３０）、携帯電話１０が無線通信範囲内に入って課金地点情報を受信したとき（Ｓ１３２）に、課金情報要求を課金情報送信端末３０に送信する（Ｓ１３４）こととしても良い。なお、ここで述べた課金情報送信のフローは、第２実施形態や第３実施形態における入場地点端末４０，８０による入場地点情報の送信や、出場地点端末５０，９０による入場地点情報要求の送信にも適用することができる。
【０１３４】
また、上記実施形態においては、移動端末と、課金情報送信端末あるいは入場地点端末又は出場地点端末とは、ブルートゥースによって無線通信することとして説明したが、ブルートゥース以外を無線通信に用いることもでき、例えば赤外線通信を用いてもよく、また非接触ＩＣを用いることとしてもよい。
【０１３５】
【発明の効果】
本発明によれば、移動端末は課金処理できるサービスのサービスコードをサービスコード格納手段に格納しており、課金情報送信端末からサービスコードを含む課金情報が送信されたときに、サービスコード格納手段に格納されたサービスコードに基づいて、送信されたサービスコードによって特定されるサービスが当該移動端末によって課金処理できるサービスであるか否かを判定する。そして、判定の結果、当該移動端末によって課金処理できるサービスであると判定された場合には、課金情報送信手段によって課金情報を課金サーバに送信するので、ユーザが課金処理できるかどうか判定して移動端末を操作しなくてもよく、課金処理時の操作を簡便なものにできる。また、あらかじめ格納されたサービスコードによって課金処理できるサービスであるか否かを判定するので、移動端末の通信範囲内に複数の課金情報送信端末が存在し、それぞれの課金情報送信端末から課金情報を受信した場合にも、ユーザの操作によって課金情報を選択することなく、移動端末は所定のサービスについてのみ課金処理を行うことができる。
【０１３６】
また、本発明によれば、課金区間への入出場に基づいて課金額が決定される課金方式においても、移動端末によって課金処理できるサービスコードをサービスコード格納手段に格納しておき、課金区間の入出場地点に設けられた入場地点端末又は出場地点端末から送信されるサービスコードが、当該移動端末によって課金処理できるサービスであるか否かをサービスコード格納手段に格納されたサービスコードに基づいて判定し、判定の結果、当該移動端末が課金処理できるサービスであると判定された場合には、入出場時の処理をすることによって、課金区間への入出場時のユーザの操作が簡易なものとすることができる。また、移動端末はあらかじめ格納されたサービスコードによって課金処理できるサービスであるか否かを判定するので、移動端末の通信範囲内に複数の入場地点端末又は出場地点端末が存在し、それぞれの入場地点端末又は出場地点端末から入場地点情報や入場地点情報要求を受信している場合にも、入場地点情報や入場地点情報要求をユーザが操作によって選択することなく、移動端末は所定の課金区間への入出場について課金処理を行うことができる。
【図面の簡単な説明】
【図１】第１実施形態に係る課金システムの構成を示す図である。
【図２】サービスコードファイルに格納されたデータの例を示す図である。
【図３】課金情報ＤＢに格納されたデータの例を示す図である。
【図４】第１実施形態に係る課金システムの動作を示すフローチャートである。
【図５】第２実施形態に係る課金システムの構成を示す図である。
【図６】入場地点情報ファイルに格納されたデータの例を示す図である。
【図７】課金額テーブルに格納されたデータの例を示す図である。
【図８】課金情報ＤＢに格納されたデータの例を示す図である。
【図９】第２実施形態に係る課金システムの動作を示すフローチャートである。
【図１０】第３実施形態に係る課金システムの構成を示す図である。
【図１１】課金額テーブルに格納されたデータの例を示す図である。
【図１２】第３実施形態に係る課金システムの動作を示すフローチャートである。
【図１３】課金情報送信のフローの他の流れを示すフローチャートである。
【符号の説明】
１、２…課金システム、１０…携帯電話、１１…サービスコードファイル、１２…サービスコード判定手段、１３…判定結果送信手段、１４…近距離無線部、１５…携帯電話無線部、１６…課金情報受信手段、１７…課金情報送信手段、２０…携帯電話、２１…入場地点情報ファイル、２２…入場地点情報受信手段、２３…入場地点情報要求受信手段、２４…入場地点情報送信手段、３０…課金情報送信端末、３１…近距離無線部、３２…課金情報送信手段、３３…判定結果受信手段、３４…サービス提供手段、４０…入場地点端末、４１…近距離無線部、４２…ゲート制御部、４３…ゲート、４４…入場地点情報送信手段、５０…出場地点端末、５１…近距離無線部、５２…ゲート制御部、５３…ゲート、５４…入場地点情報要求送信手段、５５…課金額テーブル、５６…課金額算出手段、５７…課金情報送信手段、６０…課金サーバ、６１、６２…課金情報データベース。
【図１】
0003958975.tif 000002
【図２】
0003958975.tif 000003
【図３】
0003958975.tif 000004
【図４】
0003958975.tif 000005
【図５】
0003958975.tif 000006
【図６】
0003958975.tif 000007
【図７】
0003958975.tif 000008
【図８】
0003958975.tif 000009
【図９】
0003958975.tif 000010
【図１０】
0003958975.tif 000011
【図１１】
0003958975.tif 000012
【図１２】
0003958975.tif 000013
【図１３】
0003958975.tif 000014